(57)【要約】【課題】光源本体部１１と受電部１３との間の寸法が調整できるようにする。【解決手段】光源本体部１１と、該光源本体部１１と電気的に接続された受電部１３と、光源本体部１１と受電部１３との間の距離を調整する調整部２０と設ける。これにより、調整部２０が、光源本体部１１と電気的に接続された受電部１３との間の寸法を調整できるようになって、利便性が向上する。【選択図】      図１
2009129631.tif 000002
【特許請求の範囲】
【請求項１】
光源本体部と、
該光源本体部と電気的に接続された受電部と、
前記光源本体部と前記受電部との間の距離を調整する調整部とを有することを特徴とする照明器。
【請求項２】
前記調整部が、前記光源本体部と前記受電部との間の距離を維持する位置決め機構を有することを特徴とする請求項１記載の照明器。
【請求項３】
前記調整部が、前記光源本体部と前記受電部との距離が延びた状態に復帰させる復帰機構を有することを特徴とする請求項１又２記載の照明器。
【請求項４】
前記調整部が、内筒と、
該内筒が挿入される外筒と、
前記内筒が前記外筒に対して空回りするのを規制する回転規制機構と、を有することを特徴とする請求項１乃至３いずれか１項に記載の照明器。
【請求項５】
前記回転規制機構が、前記外筒の内壁に、軸方向に沿って形成されたガイド溝と、
前記内筒の外壁に形成されて、前記ガイド溝に遊嵌するリブと、を有することを特徴とする請求項４記載の照明器。
【請求項６】
前記位置決め機構が、前記光源本体部と前記受電部との間の距離を複数段階で調整することを特徴とする請求項２乃至５いずれか１項に記載の照明器。
【請求項７】
前記位置決め機構が、前記内筒を係止する係止体を有することを特徴とする請求項２乃至６いずれか１項に記載の照明器。
【請求項８】
前記位置決め機構が、前記ガイド溝と連通すると共に前記外筒の内壁周方向に形成されて、前記リブを係止する横溝を有することを特徴とする請求項２乃至６いずれか１項に記載の照明器。
【請求項９】
前記横溝が、当該横溝から前記リブの抜け出しを規制するリブ抜止機構を有していることを特徴とする請求項８記載の照明器。
【請求項１０】
光源本体部と、該光源本体部と電気的に接続された受電部と、前記光源本体部と前記受電部との間の距離を調整する調整部とを具備する照明器と、
前記受電部と電気的に接続されて前記光源本体部への電力供給を可能にする給電部と、を有することを特徴とする照明装置。
【発明の詳細な説明】
【技術分野】
【０００１】
本発明は、光源本体部を備えた照明器及びそれを用いた照明装置に関する。
【背景技術】
【０００２】
照明装置は、空間を印象付ける重要な要素であり、種々の商品が市場に提供されている。また、照明器も棒状の蛍光灯、球状の白熱灯、球状の蛍光ランプ等のように種々の商品が市場に提供されている。
【０００３】
さらに、照明器を取り付ける照明装置も、意匠性に富んだ非常に多くの商品が市場に提供されている。
【０００４】
一方で、照明器におけるソケットの寸法も種々の規格が存在している。
【０００５】
このような状況にあって、近年の生活様式の変化に伴い、消費電力の少ない照明器に変えたり、また色調の異なる照明器に交換して照明を楽しむユーザも増えている。
【０００６】
ところが、ランプ等の供給メーカは多種多様な照明装置に適応する照明器を市場に提供しようとすると、上述したように非常に多くの品種が存在するため、在庫管理が煩雑になると共に十分なコストダウンが図れない問題がある。
【０００７】
かかる背景のもと特開２００４−３０９９４号公報は、異なる径の口金を備えたランプを提案している。このような径の異なるランプは、ソケットの径寸法が異なる照明装置にも適用できるため、在庫しなければならない品種を削減できる利点がある。
【０００８】
図１４は、上記文献が提案しているランプの構成を示す図である。図１４（ａ）は分解斜視図、図１４（ｂ）はランプ本体１０１を小径ソケット１１２に装着した際の部分断面図であり、図１４（ｃ）はランプ本体１０１を大径ソケット１１３に装着した際の部分断面図である。
【０００９】
ランプ本体１０１は、大径口金部１０３及び小径口金部１０４を有している。また、コイルスプリング１０９を設け、このコイルスプリング１０９の弾性復元力により、小径口金部１０４が大径口金部１０３の先端部分から同軸に突出するようにしている。
【００１０】
そして、ランプ本体１０１を小径ソケット１１２に取り付ける場合は、この小径ソケット１１２に小径口金部１０４をねじ込む。また、ランプ本体１０１を大径ソケット１１３に取り付ける場合は、この大径ソケット１１３に大径口金部１０３をねじ込む。
【００１１】
ところで、文献１の「００２８」に記載されているように、ランプ本体１０１からのリード線は、大径口金部１０３及び中心接点１１０に接続した構成となっている。
【００１２】
従って、小径口金部１０４には、リード線は接続されない。このため、小径口金部１０４を小径ソケット１１２にねじ込んだだけでは、ランプは点灯しない。
【００１３】
そこで、スプリング１０９による付勢力により、小径口金部１０４のフランジ片１０８を口縁フランジ１０７に押し当てることで、大径口金部１０３を経由して小径口金部１０４に電力供給が行えるようにしている。
【００１４】
しかし、この構成では、異なる径のソケットに取付ることが可能である反面、ランプ本体１０１と中心接点１０との距離はソケットの径により決まるため、ソケットが小径ソケット１１２のときには大径口金部１０３の長さだけランプ本体１０１と中心接点１０との距離が長くなる。従って、ランプ本体１０１の頂部がカバーからはみ出す場合があった。
【００１５】
また、小径口金部１０４は大径口金部１０３に対して空回りを規制する構成がないため、ランプ本体１０１を小径ソケット１１２に取り付けたりする際に、リードがねじ切れてしまう恐れがあった。
【００１６】
【特許文献１】特開２００４−３０９９４号公報
【発明の開示】
【発明が解決しようとする課題】
【００１７】
ランプ本体と電気的に接続された口金部との間の寸法が、自身で調整できないため、上記に例示したような不都合が生じる。
【００１８】
そこで、本発明は、これらの間の寸法が調整できるようにした照明器及びそれを用いた照明装置を提供することを目的とする。
【課題を解決するための手段】
【００１９】
上記課題を解決するため、照明器にかかる発明は、光源本体部と、該光源本体部と電気的に接続された受電部と、前記光源本体部と前記受電部との間の距離を調整する調整部とを有することを特徴とする。
【発明の効果】
【００２０】
照明器が調整部を有するので、光源本体部と電気的に接続された受電部との間の寸法が適宜調整可能になり、利便性が向上する。
【発明を実施するための最良の形態】
【００２１】
本発明の実施の形態を図を参照して説明する。図１は、本発明に係る照明器２の構成を示す図である。図２はこの照明器２の部分断面図である。なお、以下の説明では、電球形Ｅ口金のランプを例に説明するが、本発明はかかる構成により限定を受けるものではない。
【００２２】
当該照明器２は、光源本体部１１、受電部１３、調整部２０等を有している。なお、調整部２０と受電部１３とが、上述した電球形Ｅ口金を構成している。そして、この調整部２０により電球形Ｅ口金が伸縮する。この伸縮により光源本体部１１と受電部１３との間の距離（首丈）が、調整できる。
光源本体部１１は、意匠性等を勘案して棒状の蛍光灯、球状の白熱灯、球状の蛍光ランプ等の種々のものが適用可能である。この光源本体部１１における本体付根部１２は封止されている。
【００２３】
受電部１３は、ねじ込み式の口金部１４と、この口金部１４の内側に設けて、当該口金部１４を支持する絶縁体１５と、口金部１４の先端に設けた接点１６と、を有している。
【００２４】
このような受電部１３や接点１６は、規格に準じている。受電部１３に光源本体部１１からのリードＲ１を接続し、接点１６に他方のリードＲ２を接続している。
【００２５】
調整部２０は、本体付根部１２に固着した内筒３０、該内筒３０を収納して上下方向に摺動する外筒４０、該外筒４０の下端部に設けて内筒３０を係止する位置決め機構５０、内筒３０を光源本体部１１側に付勢する復帰機構２１、内筒３０が光源本体部１１側に抜け出るのを規制する蓋２２等を有している。復帰機構２１はコイルバネやゴム等が可能である。
【００２６】
図３（ａ）を参照して、外筒４０を説明する。この外筒４０は、本体をなす樹脂等の絶縁材で形成した円筒体４１、下端側に設けた位置決め機構５０が収容されるロック窓４２、このロック窓４２の上縁側に形成して、復帰機構２１を支える下端支部４３、円筒体４１の上端から下端支部４３にまで延びた凹状のガイド溝４４、位置決め機構５０の揺動軸５３の係合穴をなす軸穴４５等を有している。
【００２７】
下端支部４３は、リング状をなして円筒体４１と一体に形成しているが、円筒体４１と別体に形成して接着剤等で一体化しても良い。
【００２８】
位置決め機構５０は、図３（ａ）に示すように、レバー５１、該レバー５１の上先端が内筒３０に向いたフック５２、レバー５１の下端の外側に突設したボタン５６、レバー５１を揺動可能に支持する揺動軸５３、絶縁体１５のテラス１７に固着したバネ受５４（図２参照）、レバー５１に当接するレバー付勢バネ５５等を有している。
【００２９】
レバー５１は、樹脂等の弾性変形する材料で形成している。そして、このレバー５１を外筒４０に装着する際には、揺動軸５３が圧縮弾性変形して軸穴４５と係合する。揺動軸５３が圧縮弾性変形するので、レバー５１は容易に装着できる。
【００３０】
図３（ｂ）を参照して、内筒３０を説明する。この内筒３０は、上端に復帰機構２１を支える上端支部３１、下端近傍に形成した爪３２、外筒４０のガイド溝４４に遊嵌し、この溝を摺動するリブ３３等を有している。また、内筒３０は、樹脂等の絶縁材で形成している。
【００３１】
リブ３３がガイド溝４４に遊嵌することで、給電部（図１２参照）に受電部１３をねじ込む際のねじ込み力は、内筒３０から外筒４０に伝達する。換言すれば、内筒３０が外筒４０に対して回転しないように規制している。
【００３２】
図２、図３においては、１つのリブ３３及び１つのガイド溝４４により、１対の回転規制機構３９を構成した場合を示しているが、複数対の回転規制機構３９を設けても良い。
【００３３】
フック５２が爪３２に係合することにより、光源本体部１１と受電部１３との間の距離（首丈）を調整し・維持できるようになっている。
【００３４】
図４は、かかる位置決め機構５０の動作を説明する図である。図４（ａ）は、フック５２と爪３２との係合を解除することにより首丈を延した状態を示している。図４（ｂ）は、フック５２と爪３２との係合を解除しているときの操作状態を示している。図４（ｃ）は、フック５２が爪３２に係合して首丈が短くなった状態を示している。
【００３５】
フック５２と爪３２との係合は、これらを把持して復帰機構２１の弾性力に抗して押し込むことにより、フック５２が爪３２に係合することで行われる（図４（ｃ））。
【００３６】
レバー５１は、レバー付勢バネ５５によりフック５２が爪３２の方向に向かうように付勢されているので、フック５２と爪３２との係合状態は維持され、光源本体部１１と受電部１３との首丈が短い状態でロックされる。
【００３７】
一方、ボタン５６を押圧して、フック５２と爪３２との係合を解除すると（図４（ｂ））、復帰機構２１の弾性力により内筒３０が外筒４０から抜け出る方向に動き、光源本体部１１と受電部１３との首丈が延びた状態となる（図４（ａ））。
【００３８】
従って、例えばカバーの長さや形状等の利用される照明装置の形態に応じた利用が可能になる。
【００３９】
次に、他の実施の形態を説明する。上記説明では、爪３２は１つしか設けられていないため、光源本体部１１と受電部１３との首丈は２段階（ロック状態と非ロック状態）しか調整することができなかった。
【００４０】
しかし、図５に示すように、複数（図５では２つ）の爪を設けても良い。複数の爪を設けることにより、首丈は複数段で調整可能になり、装着する照明装置に適した首丈に設定することが可能になる。
【００４１】
また、上記説明では、爪３２は内筒３０の外壁面に突設されていたが、例えば図６に示すように、外壁面に凹設した溝状の爪３２ａであっても良い。
【００４２】
この構成の場合には、復帰機構２１をコイルバネで形成した際でも、当該コイルバネと爪３２ａとが干渉しないため、内筒３０等の寸法が短くでき、調整部の高さを短くすることができる利点がある。
【００４３】
また、上記説明では、レバー５１を外筒４０に装着する際には、揺動軸５３が圧縮弾性変形して軸穴４５に係合させた。しかし、許容される揺動軸５３の圧縮弾性変形量に限界があるため、揺動軸５３と軸穴４５とを十分な係合状態とすることができない場合も想定される。
【００４４】
このような場合には、例えば図７に示すように、揺動軸５３を貫くように長円貫通孔５７を形成することで、レバー５１を外筒４０に装着する際に、長円貫通孔５７が点線状態のように変形（即ち、左右の壁部５８が互いに近づくように変形）するようにしても良い。
【００４５】
長円貫通孔５７の変形量は、揺動軸５３と軸穴４５との係合量に上乗せされるため、当該揺動軸５３と軸穴４５との係合を十分な係合状態にすることができる。
【００４６】
また、上記説明では、レバー５１を初期状態に維持するためにレバー付勢バネ５５を用い、このレバー付勢バネ５５は絶縁体１５のテラス１７に固着されたバネ受５４に収容する構成とした。
【００４７】
しかし、本発明は、これに限定されるものではなく、例えば図８や図９に示すような構成であってもよい。
【００４８】
図８に示す構成は、バネ受５４の作用に相当するバネ受板５４ｂを設けると共に、レバー５１のボタン５６にバネ受穴５４ｃを形成し、このバネ受穴５４ｃにレバー付勢バネ５５を収容するものである。
【００４９】
この構成は、樹脂成形等により外筒４０を成形する場合に、バネ受板５４ｂも同時に作り込むことができるので、テラス１７にバネ受５４を固着する工程を削減できる利点がある。
【００５０】
図９に示す構成は、レバー付勢バネ５５に変えて、ねじりバネ５５ｂを用いたものである。ねじりバネ５５ｂの一端を係止する係止穴５５ｃをロック窓４２に形成している。また、レバー５１にねじりバネ５５ｂの他端を係止する係止穴５５ｄを形成し、このねじりバネ５５ｂの環状部５５ｅを揺動軸５３に挿入する。
【００５１】
これにより、レバー５１が揺動軸５３を軸に傾動しても、ねじりバネ５５ｂがレバー５１を初期状態に戻すように作用する。
【００５２】
この構成では、テラス１７にバネ受５４を固着する工程が省ける利点があると共に、レバー５１の初期状態を外筒４０の壁面に平行にすることができ、レバー５１のフック５２が内筒３０側に倒れ込んだりするのを防止できる利点がある。
【００５３】
また、上記説明では、位置決め機構５０はレバー５１等を有する構成であったが、本発明はこれに限定されるものではなく、図１０に示すような構成であっても良い。図１０に示す構成は、外筒４０のガイド溝４４に周方向に沿った横溝５９ａ〜５９ｃを設けたもので、この横溝５９ａ〜５９ｃに内筒３０のリブ３３が係止される構成となっている。
【００５４】
即ち、図１０（ａ）及び図１０（ｂ）は、横溝５９ａの高さｈが一様な場合を示している。図１０（ａ）は、横溝５９ａを水平に形成した場合であり、図１０（ｂ）は横溝５９ｂが上方向に登る（角度θがこの勾配を示している）ように形成した場合である。
【００５５】
図１０（ｃ）は横溝５９ｄの先に円形のポケット５９ｃを設けたもので、横溝５９ｄの高さはリブ３３の高さより適宜小さい寸法に設定され、ポケット５９ｃは横溝５９ｄより適宜大きい寸法に形成されている。
【００５６】
本明細書では、横溝５９ｂが上方向に登る構成や横溝５９ｄの先に円形のポケット５９ｃを設けた構成を総称して、リブ抜止機構と記載する。
【００５７】
このような構成により、先に述べたようなレバー５１等を用いなくても、内筒３０が空回りすることなくねじ込み力を内筒３０から外筒４０に伝達でき、かつ、所望の首丈の位置に調整・維持することが可能になる。
【００５８】
また、図１０（ｂ）のように、横溝５９ｂを光源本体部１２側に登る傾斜した構成にすると、内筒３０は、復帰機構２１により光源本体部１２側に付勢されているため、リブ３３が横溝５９ｂから抜け難くなる利点がある。
【００５９】
さらに、図１０（ｃ）のように、横溝５９ｄの先に円形のポケット５９ｃを設けると、リブ３３がポケット５９ｃに填ると、容易に抜けなくなるので、首丈の位置維持の信頼性が向上する。
【００６０】
次に、このような照明器２を用いた照明装置について説明する。図１１は、上記照明器２を取り付けた照明装置４の部分断面図を示している。また、図１２は、照明装置４に光源本体部１２を取り付ける際の様子を示した断面図である。照明装置４は、給電部６１と、カバー５２、上記照明器２を有している。なお、これまで説明した要素については同一符号を付して説明を適宜省略する。
【００６１】
カバー６２は、光源本体部１２を覆うもので、調整部２０により光源本体部１２と受電部１３との間の距離を調整した際でも、光源本体部１２が接触しないようになっている。
【００６２】
即ち、調整部２０が有する位置決め機構５０により、光源本体部１２と受電部１３との間の距離を調整しても、光源本体部１２はカバー６２と接触しない位置で位置保持ができる。
【００６３】
このような照明装置４に照明器２を取り付ける場合の手順を図１２に従い説明する。図１２は、照明装置４に光源本体部１２を取り付ける際の様子を示した断面図である。
【００６４】
まず、照明器２の首丈を伸ばした状態とし、この状態で光源本体部１２を把持する。そして、受電部１３を給電部６１に宛がいながら回転させる。受電部１３の口金部１４と給電部６１とには、螺旋状の溝が形成されているので、照明器２を回転させることにより、受電部１３と給電部６１とが螺合する。
【００６５】
このようにカバー６２が深い構造の場合であっても、首丈が長いので容易に光源本体部１２を取り付けることが可能になる。
【００６６】
なお、図１３に示すように、光源本体部１２を取り付けた状態で、この光源本体部１２の頂部がカバー６２からはみ出しているような場合には、復帰機構２１による力に抗して光源本体部１２を受電部１３側に押し込む。これにより、位置決め機構５０が機能して、光源本体部１２がカバー６２に当たらない位置で首丈を調整することが可能になる。従って、美観を損なうことがない。
【００６７】
また、調整部２０が、内筒３０と、該内筒３０が挿入される外筒４０と、内筒３０が外筒４０に対して空回りするのを規制する回転規制機構３９とを有するので、内筒３０が空回りしてリードＲ１，Ｒ２がねじ切れたりする恐れがない。従って、信頼性が向上する。
【図面の簡単な説明】
【００６８】
【図１】本発明の実施の形態の説明に適用される照明器の図である。
【図２】照明器の部分断面図である。
【図３】外筒、位置決め機構の構成を示す部分断面図、及び内筒の構成を示す斜視図である。
【図４】調整部の動作を説明する照明器の部分断面図である。
【図５】他の実施の形態の説明に適用される複数の爪が設けられた内筒の構成を示す斜視図である。
【図６】爪を凹状とした内筒の構成を示す斜視図である。
【図７】長円貫通孔を形成したレバーの構成を示す斜視図である。
【図８】レバー付勢バネをレバーに収容した場合の構成を示す斜視図である。
【図９】ねじりバネによりレバーの位置を規制するようにした場合の構成を示す斜視図である。
【図１０】外筒に横溝を形成した場合の外筒の部分断面図である。
【図１１】照明器を用いた照明装置の断面図である。
【図１２】照明器の取付状態を示す図である。
【図１３】光源本体部の頂部がカバーからはみ出した状態を示す図である。
【図１４】関連技術の説明に適用される図である。
【符号の説明】
【００６９】
２    照明器
４    照明装置
１１    光源本体部
１２    本体付根部
１３    受電部
２０    調整部
２１    復帰機構
３０    内筒
３２，３２ａ    爪
３３    リブ
４０    外筒
４４    ガイド溝
５０    位置決め機構
５１    レバー
５２    フック
５３    揺動軸
５４    バネ受
５４ｃ    バネ受穴
５４ｂ    バネ受板
５５    レバー付勢バネ
５５ｂ    バネ
５５ｃ    係止穴
５５ｅ    環状部
５５ｄ    係止穴
５７    長円貫通孔
５９ａ〜５９ｄ    横溝
５９ｃ    ポケット
６１    給電部
６２    カバー
【図１】
2009129631.tif 000003
【図２】
2009129631.tif 000004
【図３】
2009129631.tif 000005
【図４】
2009129631.tif 000006
【図５】
2009129631.tif 000007
【図６】
2009129631.tif 000008
【図７】
2009129631.tif 000009
【図８】
2009129631.tif 000010
【図９】
2009129631.tif 000011
【図１０】
2009129631.tif 000012
【図１１】
2009129631.tif 000013
【図１２】
2009129631.tif 000014
【図１３】
2009129631.tif 000015
【図１４】
2009129631.tif 000016